(57)【要約】      （修正有）【課題】切断具の進行方向を案内しつつ使用者の手指の保護及び作業効率の向上を図る。【解決手段】切断具たるカッターナイフＣの刃の進行方向を案内する案内面部２、３と、前記案内面部２、３の下端に接続してなるとともに使用者の指を載置可能な指置き部４、５と、前記案内面部２、３の上端に接続し使用者の手の甲を被覆する保護部６とを具備する手保護具１を用意する。【選択図】図６
2011045455.tif 000002
【特許請求の範囲】
【請求項１】
切断具の刃の進行を案内する案内面部と、前記案内面部の下端に接続してなるとともに使用者の指を載置可能な指置き部と、前記案内面部の上端に接続し使用者の手の甲を被覆する保護部とを具備することを特徴とする手保護具。
【請求項２】
前記案内面部として、互いに交差しそれぞれ切断具の刃の進行方向を案内する第１及び第２の案内面部を有するとともに、前記指置き部として、前記第１の案内面部の下端に接続してなるとともに少なくとも使用者の人差し指を載置可能な第１の指置き部と、前記第２の案内面具の下端に接続してなるとともに使用者の親指を載置可能な第２の指置き部とを有する請求項１記載の手保護具。
【請求項３】
前記第１の案内面部と前記第２の案内面部との間に、これらを滑らかに接続する曲面状の接続部を具備する請求項２記載の手保護具。
【請求項４】
前記保護部が、使用者の手首側に向かうにつれ上方に向かう傾斜を有する請求項１、２又は３記載の手保護具。
【請求項５】
前記指置き部の上面に使用者の指をずれないように保持するためのずれ止め部を設けてなる請求項１、２、３又は４記載の手保護具。
【請求項６】
前記ずれ止め部を軟質材料により形成している請求項５記載の手保護具。
【請求項７】
前記保護部の上面に目盛を備えている請求項１、２、３、４、５又は６記載の手保護具。
【発明の詳細な説明】
【技術分野】
【０００１】
本発明は、カッターナイフ等の切断具を使用する際に切断具の刃から使用者の手を保護する手保護具に関する。
【背景技術】
【０００２】
従来、カッターナイフ等の切断具を利用して切断を行う場合に、切断対象物を所望の形状に切断すべく、案内具により切断具の進行を案内することが広く行われている。このような案内具として、例えば、互いに交差しそれぞれ切断具の刃の進行を案内することが可能な第１及び第２の案内面部を有するＬ字定規やＴ字定規が知られている（例えば、特許文献１を参照）。
【０００３】
ところで、カッターナイフ等の切断具を利用して切断対象物を切断する際には、一方の手で切断具を把持し、他方の手で案内手段、例えば前記特許文献１記載のＬ字定規を把持し、前記案内手段に進行方向を案内させつつ切断具を移動させることが多い。しかして、従来の前記特許文献１記載のもの等により切断具の進行を案内する場合、切断具の進行方向が案内手段に沿う方向、例えば前記Ｌ字定規の案内面部に沿う方向から外れて切断具の刃が使用者の手指に当たらないよう注意を払う必要がある。その際、切断具を進行させて切断対象を切断すること以外に注意を払う必要があることから、作業効率の低下を招くことがあった。
【先行技術文献】
【特許文献】
【０００４】
【特許文献１】特開２００１−２１３０８９号公報
【発明の概要】
【発明が解決しようとする課題】
【０００５】
本発明は以上の点に着目し、このような課題を解決すること、すなわち、切断具の進行方向を案内しつつ使用者の手指の保護及び作業効率の向上を図ることを目的とする。
【課題を解決するための手段】
【０００６】
すなわち本発明に係る手保護具は、切断具の刃の進行を案内する案内面部と、前記案内面部の下端に接続してなるとともに使用者の指を載置可能な指置き部と、前記案内面部の上端に接続し使用者の手の甲を被覆する保護部とを具備することを特徴とする。
【０００７】
このようなものであれば、案内面部により切断具の刃の進行を案内できる一方、前記保護部が使用者の手の甲を被覆しているので、切断具の刃の進行方向が使用者の手寄りにずれた場合でも切断具の刃は使用者の手に優先して前記保護部に当接し、使用者の手指を保護することができる。
【０００８】
特に、前記案内面部として、互いに交差しそれぞれ切断具の刃の進行を案内する第１及び第２の案内面部を有するとともに、前記指置き部として、前記第１の案内面部の下端に接続してなるとともに使用者の人差し指を載置可能な第１の指置き部と、前記第２の案内面具の下端に接続してなるとともに使用者の親指を載置可能な第２の指置き部とを有するものであれば、第１の案内面部に沿う方向又は第２の案内面部に沿う方向のいずれかに沿って切断具の刃を進行させるべく案内する他に、第２の案内面部を切断対象の一辺に当接させ、第１の案内面部に沿って切断具の刃を移動させることにより前記第２の案内面部に当接させた辺と切り口とが所定角度をなすように切断することもできる。
【０００９】
前段に述べた手保護具において、前記第１の案内面部と前記第２の案内面部との間に、これらを滑らかに接続する曲面状の接続部を具備するものであれば、前記第１の案内面部又は前記第２の案内面部の一方に沿って他方に向かう方向に切断具の刃を移動させる操作が完了して切断具の刃が前記第１の案内面部と前記第２の案内面部との境界に当たった際に、使用者の手が前記第１の案内面部と前記第２の案内面部との境界から受ける衝撃を緩和できる。
【００１０】
また、前記保護部が、使用者の手首側に向かうにつれ上方に向かう傾斜を有するものであれば、この手保護具と使用者の手との間の隙間を小さくして使用時のがたつきを抑えることができる。
【００１１】
さらに、前記指置き部の上面に使用者の指をずれないように保持するためのずれ止め部を設けてなるものであれば、この手保護具を装着した状態で切断対象物をより安定して保持させることができる。
【００１２】
このようなずれ止め部の好適な構成として、前記ずれ止め部を軟質材料により形成しているものが挙げられる。
【００１３】
加えて、前記保護部の上面に目盛を備えているものであれば、この目盛により切断対象物に所定長さの切れ目を設ける作業を容易に行うことができるようになる。
【００１４】
なお、本発明において、「上方」及び「下方」とは、この手保護具を載せ置く対象の面から離間する方向、及びこの手保護具を載せ置く対象の面に接近する方向をそれぞれ示す概念である。
【発明の効果】
【００１５】
本発明の手保護具によれば、案内面部により切断具の刃の進行を案内できる一方、前記保護部が使用者の手の甲を被覆しているので、切断具の刃の進行方向が使用者の手寄りにずれた場合でも切断具の刃は使用者の手に優先して前記保護部に当接し、使用者の手指を保護することができる。そして、前記保護部により使用者の手指を保護することができることから、切断具の刃が使用者の手指に当たらないよう注意を払う必要性が低くなり、作業効率の向上を図ることができる。
【図面の簡単な説明】
【００１６】
【図１】本発明の一実施形態に係る手保護具を示す全体上方斜視図。
【図２】同実施形態に係る手保護具を示す全体下方斜視図。
【図３】同実施形態に係る手保護具を示す正面図。
【図４】同実施形態に係る手保護具を示す底面図。
【図５】同実施形態に係る手保護具を示す右側面図。
【図６】同実施形態に係る手保護具の使用態様を示す図。
【発明を実施するための形態】
【００１７】
本発明の一実施形態を、図面を参照して説明する。本実施形態に係る手保護具１は、図１〜図５に示すように、切断具の刃の進行を案内する第１及び第２の案内面部２、３と、前記第１及び第２の案内面部２、３の下端にそれぞれ接続してなるとともに使用者の指を載置可能な第１及び第２の指置き部４、５と、前記第１及び第２の案内面部２、３の上端に接続し使用者の手の甲を被覆する保護部６とを具備する。
【００１８】
より具体的には、前記第１の案内面部２は、前記図１、図２、図３、及び図５に示すように、一方向に延伸し、標準的な体格を有する成人の人差し指の付け根から人差し指の指先までの寸法より若干長い寸法を有する。一方、前記第２の案内面部３は、前記図１、図２、及び図３に示すように、前記第１の案内面部２と直交する方向に延伸し、標準的な体格を有する成人の親指の付け根から親指の指先までの寸法より若干長い寸法を有する。これら第１及び第２の案内面部２、３は、いずれもこの指保護具１を載置する面から略鉛直に起立している。さらに本実施形態では、前記第１の案内面部２と前記第２の案内面部３との間に、これらを滑らかに接続する曲面状の接続部７を設けている。この接続部７は、前記図１及び図３に示すように、本実施形態では平面視部分円弧状をなし、前記第１及び第２の案内面部２、３の基端部と同一の高さ寸法を有する曲面状の部位である。そして、これら第１及び第２の案内面部２、３の下端から外方に向けて前記第１及び第２の指置き部４、５をそれぞれ設けている。
【００１９】
前記第１の指置き部４は、前記図１及び図５に示すように、前記第１の案内面部２の下端から水平に延伸する板状の部材であり、使用者の親指以外の指、すなわち、人差し指、中指、薬指、及び小指を載置可能である。なお、図示はしないが、この第１の指置き部４の上面、すなわち使用者の親指以外の指に当接する面には、軟質材料、具体的には軟質樹脂により使用者の指をずれないよう保持するためのずれ止め部を設けている。
【００２０】
前記第２の指置き部５は、前記図４及び図５に示すように、前記第２の案内面部３の下端から水平に延伸する板状の部材であり、使用者の親指を載置可能である。なお、図示はしないが、この第２の指置き部５の上面、すなわち使用者の親指に当接する面には、軟質材料、具体的には軟質樹脂により使用者の指をずれないよう保持するためのずれ止め部を設けている。
【００２１】
また、前記第１及び第２の指置き部４、５の間には、前記図５に示すように、使用者の掌の一部、具体的には少なくとも親指の付け根の部分を載置可能な掌置き部８を設けている。そして、これら第１の指置き部４、第２の指置き部５、及び掌置き部８により、この手保護具１の下面すなわち切断対象物に接する面を形成する底板を形成している。そして、この底板に対向させて、前記保護部６を配している。
【００２２】
前記保護部６は、前記図１〜図５に示すように、前記第１の案内面部２の上端から使用者の親指以外の指の上面に沿って延伸する第１の指保護部６１と、前記第２の案内面部３の上端から使用者の親指の上面に沿って延伸する第２の指保護部６２と、これら第１及び第２の指保護部６２の間に位置し使用者の手の甲に沿う手保護部６３とを有する。また、この保護部６は、前記底板と平面視同一形状を有する。
【００２３】
前記第１の指保護部６１は、前記図１、図２、図３、及び図５に示すように、前記手保護部６３との境界に向かい、また、前記第１の案内面部２から離間するにつれ上昇する傾斜を有し、前記第１の指置き部４、及び前記第１の案内面部２との間に使用者の親指以外の指を配置する空間である第１の指配置空間６ａを形成している。また、この第１の指保護部６１の上面には、前記第１の案内面部２に沿う長さ寸法を視認可能にするための目盛６１ａを形成している。ここで、この目盛６１ａは、あくまで平面視した場合の前記第１の案内面部２に沿う長さ寸法を示すものであって、前記第１の案内面部２は上述したような傾斜を有するので、目盛６１ａ間の実距離は目盛６１ａが示す距離と異なる。さらに本実施形態では、この第１の指保護部６１の先端と前記第１の指置き部４の先端との間に前壁６４を設けている。そして、前記第１の指配置空間６ａは、前記第１の案内面部２と反対側に開口していて、この開口から使用者の親指以外の指を挿入可能にしている。
【００２４】
前記第２の指保護部６２は、前記図１、図２、図３、及び図４に示すように、前記手保護部６３との境界に向かい、また、前記第２の案内面部３から離間するにつれ上昇する傾斜を有し、前記第２の指置き部５、及び前記第２の案内面部３との間に使用者の親指以外の指を配置する空間である第２の指配置空間６ｂを形成している。また、この第２の指保護部６２の上面にも、前記第２の案内面部３に沿う長さ寸法を視認可能にするための目盛６２ａを形成している。ここで、この目盛６２ａは、あくまで平面視した場合の前記第２の案内面部３に沿う長さ寸法を示すものであって、前記第２の案内面部３は上述したような傾斜を有するので、目盛６２ａ間の実距離は目盛６２ａが示す距離と異なる。さらに本実施形態では、この第２の指保護部６２の先端と前記第２の指置き部５の先端との間に側壁６５を、また、この第２の指保護部６２及び前記第２の指置き部５の前記第２の案内面部３と反対側の側端部間に後壁６６を設けている。そして、前記第２の指配置空間６ｂは、前記側壁６５と反対側に開口していて、この開口から使用者の親指を挿入可能にしている。
【００２５】
前記手保護部６３は、前記図１〜図５に示すように、前記第１及び第２の指保護部６２と滑らかに連続し、前記接続部７から前記第１及び第２の案内面部２、３のなす角の二等分線に向かい上昇する傾斜を有する。また、この手保護部６３は、前記掌置き部８との間に使用者の掌を配置する空間である掌配置空間６ｃを形成している。この掌配置空間６ｃは、前記第１及び第２の指配置空間６ａ、６ｂと連通している。すなわち、使用者の親指は、この掌配置空間６ｃを通過して前記第２の指配置空間６ｂに挿入するようにしている。
【００２６】
ここで、本実施形態に係る手保護具の使用方法について、図６を参照しつつ以下に説明する。
【００２７】
まず、使用者の親指を、前記掌配置空間６ｃを経て前記第２の指配置空間６ｂ内に挿入する。次いで、前記図６に示すように、使用者の親指以外の指及び掌を、それぞれ前記第１の指配置空間６ａ内及び前記掌配置空間６ｃ内に挿入する。
【００２８】
その後、この手保護具１を、前記第１の案内面部２が切断を行うべき箇所に位置するように配置し、前記第１及び第２の指置き部４、５に使用者の指を配置した状態でこの手保護具１及び切断対象物を保持する。
【００２９】
そして、その状態で前記第１の案内面部２に沿ってカッターナイフＣの刃等の切断具を前記図６の矢印Ｘ方向（又はその逆方向）に移動させることにより、切断対象物の所望の位置を切断することができる。
【００３０】
なお、前記第１の案内面部２に替えて前記第２の案内面部３が切断を行うべき箇所に位置するように手保護具１を配置してもよい。その場合、前記第１の案内面部２ではなく第２の案内面部３に沿ってカッターナイフの刃等の切断具を移動させれば切断対象物の所望の位置を切断することができる。
【００３１】
さらに、予め設定した所望の長さ寸法の切れ目を形成する場合には、前記保護部６の上面に配置した目盛６１ａ、６２ａを利用するとよい。
【００３２】
以上に述べたように、本実施形態に係る手保護具１は、切断具の刃の進行を案内する第１及び第２の案内面部２、３と、前記第１及び第２の案内面部２、３の下端にそれぞれ接続してなるとともに使用者の指を載置可能な第１及び第２の指置き部４、５と、前記第１及び第２の案内面部２、３の上端に接続し使用者の手の甲を被覆する保護部６とを具備するので、これら第１及び第２の案内面部２、３により切断具の刃の進行を案内できる一方、前記保護部６が使用者の手の甲を被覆しているので、切断具の刃の進行方向が使用者の手寄りにずれた場合に、切断具の刃は使用者の手に優先して前記保護部６に当接し、使用者の手指を保護することができる。そして、前記保護部６により使用者の手指を保護することができることから、切断具の刃が使用者の手指に当たらないよう注意を払う必要性が低くなり、作業効率の向上を図ることができる。さらに、本実施形態に係る手保護具１の構成によれば、第１の案内面部２に沿う方向及び第２の案内面部３に沿う方向のいずれかに切断具の刃を進行させるべく案内する他に、第２の案内面部３を切断対象の一辺に当接させ、第１の案内面部２に沿って切断具の刃を移動させることにより前記第２の案内面部３に当接させた辺と切り口とが直交するように切断することもできる。
【００３３】
また、前記第１の案内面部２と前記第２の案内面部３との間に、これらを滑らかに接続する曲面状の接続部７を具備するので、前記第１の案内面部２又は前記第２の案内面部３の一方に沿って他方に向かう方向に切断具の刃を移動させる操作が完了して切断具の刃が前記第１の案内面部２と前記第２の案内面部３との境界に当たった際に、使用者の手が前記第１の案内面部２と前記第２の案内面部３との境界から受ける衝撃を緩和できる。
【００３４】
さらに、前記保護部６が、基端部に向かうにつれ、より具体的には前記接続部７から前記第１及び第２の案内面部２、３のなす角の二等分線に向かうにつれ上方に向かう傾斜を有するので、前記第１の指収納空間６ａ、前記第２の指収納空間６ｂ、及び掌収納空間６ｃの形状が使用者の手や指にフィットした形状となり、この手保護具１と使用者の手との間の隙間を小さくして使用時のがたつきを抑えることができる。
【００３５】
加えて、前記第１及び第２の指置き部４、５の上面に使用者の指をずれないように保持すべく軟質材料により形成したずれ止め部を設けているので、この手保護具１を装着した状態で切断対象物をより安定して保持させることができる。
【００３６】
そして、前記保護部６の上面に目盛６１ａ、６２ａを備えているので、この目盛により切断対象物に所定長さの切れ目を設ける作業を容易に行うことができるようになる。
【００３７】
なお、本発明は以上に述べた実施形態に限られない。
【００３８】
例えば、上述した実施形態では互いに交差する第１及び第２の案内面部を設けているが、一方向に延伸する案内面部、又は平面視部分円弧状や波線状等の所定の曲線をなす案内面部を１つのみ有するとともに、この案内面部と、該案内面部の下端に接続する指置き部と、前記案内面部の上端に接続する保護部とを有するものであっても、切断具の刃の進行方向が使用者の手寄りにずれた場合に、切断具の刃は使用者の手に優先して前記保護部に当接し、使用者の手指を保護することができるという本発明の最も主要な効果は得られる。
【００３９】
また、第１の案内面部と第２の案内面部との間の接続部は、部分円弧状に限らず、部分楕円弧状であってもよく、また、第１の案内面部の基端と第２の案内面部の基端とを接続する平面であってもよい。
【００４０】
さらに、上述した実施形態では、前記保護部が、基端部に向かうにつれ上方に向かう傾斜を有するが、この保護部は他の形状、例えば平板状であってもよい。
【００４１】
加えて、ずれ止め部を軟質樹脂により形成する代わりにゴム等の他の軟質材料で形成してもよく、指置き部の上面にスポンジにより形成したずれ止め部を設けてもよい。また、指置き部の上面に微細な凹凸を設ける等、他の手段により指置き部の上面にずれ止め部を形成してもよい。
【００４２】
その他、保護部の上面の目盛を省略する等、本発明の趣旨を損ねない範囲で種々に変形してよい。
【符号の説明】
【００４３】
１…手保護具
２…第１の案内面部
３…第２の案内面部
４…第１の指置き部
５…第２の指置き部
６…保護部
６１ａ、６２ａ…目盛
７…接続部
【図１】
2011045455.tif 000003
【図２】
2011045455.tif 000004
【図３】
2011045455.tif 000005
【図４】
2011045455.tif 000006
【図５】
2011045455.tif 000007
【図６】
2011045455.tif 000008